(57)【要約】【課題】ヒンジを介して基板ケースを回動自在に固定ベースに固定する場合に、基板ケースを不正に取り外せないようにする。【解決手段】基板ケース７Ｂはヒンジ部３２、９３を介して固定ベース９０に回動自在に取り付けられる。外装ケース１０には、制御基板１１０に外装ケース１０の外側からコネクタを接続するための開口部が形成されているとともに、開口部を覆うカバー部材５０が設けられ、カバー部材５０には、外装ケース１０への固定時にヒンジ部３２、９３に当接又は近接し、基板ケース７Ｂのヒンジ部３２、９３を中心とする回動を妨げることなく基板ケース７Ｂのヒンジ解除方向への移動を阻止する移動阻止部５２を設けられている。【選択図】図１１
2014004279.tif 000002
【特許請求の範囲】
【請求項１】
表面に電子部品が実装された制御基板を外装ケースの内部に収納し、遊技機の内部に位置する固定ベースに、ヒンジ部を介して回動自在に取り付けられる基板ケースであって、
前記外装ケースには、前記制御基板に外装ケースの外側からコネクタを接続するための開口部が形成されているとともに、前記開口部を覆うカバー部材が設けられ、
前記カバー部材は、前記外装ケースへの固定時に前記ヒンジ部に当接又は近接し、前記基板ケースのヒンジ部を中心とする回動を妨げることなく前記基板ケースのヒンジ解除方向への移動を阻止する移動阻止部を備えていることを特徴とする基板ケース。
【発明の詳細な説明】
【技術分野】
【０００１】
本発明は、遊技機に設けられた装置の動作を制御する制御回路が形成された制御基板を収納する基板ケースに関する。
【背景技術】
【０００２】
従来から、スロットマシン等の遊技機は、遊技を行うのに必要な回転リール等の遊技装置、遊技装置の動作を制御する制御回路を有するメイン制御装置、遊技の演出を行う液晶表示装置等の演出装置の動作を制御する制御回路を有するサブ制御装置、及び、遊技装置及び制御基板に電力を供給する電源装置等を備えたものとなっている。
このうち、メイン制御装置及びサブ制御装置等の制御装置は、遊技動作を制御するプログラムを記憶したＲＯＭ、及び、高速演算機能を有するＬＳＩ等からなるＣＰＵ等のハードウェアを備え、ＲＯＭに記憶されたプログラム等のソフトウェアをＣＰＵで実行することで制御を行うものとなっている。このため、メダル等の遊技媒体を容易に獲得することができる不正なプログラムが書き込まれたＲＯＭに交換されると、多量の遊技媒体が不正に獲得されてしまう。
【０００３】
このような不正行為を防止するために、制御装置の主要部である制御回路が形成された回路基板を収納する箱状の基板ケースを設け、内部に回路基板を入れて閉じた基板ケースを封止ピン等で封止するようにしている。
ここで、基板ケースを封止する封止ピンとして、その頭部に管理用データが刻印された特殊ピンを採用した基板ケースが提案されている（例えば、特許文献１参照）。
このような特殊ピンを基板ケースの封止に利用すれば、特殊ピンを破壊して、基板ケースを開放すると、その後、破壊した特殊ピンで基板ケースを封止することができず、別の特殊ピンを利用して、基板ケースの封止を行うと、頭部の管理用データが相違するので、頭部の管理用データの適否を確認すれば、基板ケースが不正に開放されたことを速やかに把握することができる。
【０００４】
一方、前述のような基板ケースでは、通常は隠れている基板ケース裏側の底面に孔等を開けて、基板ケースの裏側から、基板ケース側の封止部位を破壊すれば、特殊ピンを破壊することなく、基板ケースを開放することができ、しかも、表側から視認したのでは、基板ケースの破壊部分が確認しづらく、基板ケースの不正開放を見過ごすおそれがある、という問題がある。
この問題を解決するために、基板ケースの側面に支持軸を突設し、この支持軸を回転自在に支持する支持アームを遊技機側に設け、この支持アームに基板ケースを揺動可能に支持させ、基板ケースの揺動によって、基板ケース裏側の底面を正面側に向け、基板ケースの裏側を直接視認できるようにし、これにより、基板ケースの裏側に形成された破壊部分を容易に視認可能とし、基板ケースの不正開放を確実に発見できるようにした遊技機が知られている（例えば、特許文献２参照）。
【先行技術文献】
【特許文献】
【０００５】
【特許文献１】特開平１１−７６５６９号公報
【特許文献２】特開２０１０−２４００６６号公報
【発明の概要】
【発明が解決しようとする課題】
【０００６】
前述のような基板ケースでは、基板ケースを揺動可能に支持する支持機構、具体的には、基板ケース側の支持軸、及び、支持軸を回転自在に支持する支持アームが比較的脆弱なので、支持機構を破壊することで、制御基板を収納した基板ケースの強奪が比較的容易に行え、強奪した基板ケースの制御基板を改造し、この改造制御基板を利用して、制御基板の不正交換が行われるおそれがあり、従って、裏側を視認できるようにすると、制御基板の不正交換防止が充分に図れない、という問題がある。
そこで、本願発明は、上記した従来の技術の有する問題点に鑑みてなされたものであり、その目的とするところは、ヒンジを介して基板ケースを固定ベースに固定する場合に、基板ケースを不正に取り外せないようにし、制御基板の不正交換防止が充分に図れる基板ケースを提供することである。
【課題を解決するための手段】
【０００７】
本願発明は、前述の目的を達成するためになされたものである。以下に、各発明の特徴点を、図面に示した発明の実施の形態を用いて説明する。
なお、符号は、発明の実施の形態において用いた符号を示し、本発明の技術的範囲を限定するものではない。
（請求項１）
（特徴点）
請求項１記載の発明は、次の点を特徴とする。
すなわち、請求項１記載の発明は、表面に電子部品が実装された制御基板（サブ基板100）を外装ケース（サブ基板ケース10）の内部に収納し、遊技機（スロットマシン1）の内部に位置する固定ベース（液晶ケース90）に、ヒンジ部（ヒンジ軸32、軸受け部93）を介して回動自在に取り付けられる基板ケース（サブ基板ユニット7B）である。前記外装ケース(10)には、前記制御基板(110)に外装ケース(10)の外側からコネクタを接続するための開口部（切欠部22）が形成されているとともに、前記開口部を覆うカバー部材（コネクタカバー50）が設けられている。そして、前記カバー部材(50)は、前記外装ケース(10)への固定時に前記ヒンジ部(32,93)に当接又は近接し、前記基板ケース(7B)のヒンジ部(32,93)を中心とする回動を妨げることなく前記基板ケース(7B)のヒンジ解除方向への移動を阻止する移動阻止部（ロック片52）を備えていることを特徴とする。
【０００８】
（作用）
本発明によれば、基板ケース(7B)が固定ベース(90)に回動自在に取り付けられているので、基板ケース(7B)を回動させることにより、基板ケース(7B)の裏面を確認することができる。外装ケース(10)が透明な場合には、内蔵されている制御基板(110)の裏面を確認することもできる。
また、外装ケース(10)にカバー部材(50)を装着することにより、制御基板(110)にコネクタを接続するための開口部が覆われ、コネクタの接続部にアクセス不能となる。これにより、不正なコネクタの抜き差しを防止できる。なお、カバー部材(50)をいったん外装ケース(10)に固定すると、破壊しない限り取り外せないように形成するとより好ましい。
【０００９】
さらに、本発明では、外装ケース(10)にカバー部材(50)を装着することにより、基板ケース(7B)を回動自在に支持するヒンジ部(32,93)に移動阻止部(52)が当接又は近接し、基板ケース(7B)のヒンジ解除方向への移動が阻止される。すなわち、カバー部材(50)によって、基板ケース(7B)の不正な取り外しをも防止することができる。
【発明の効果】
【００１０】
本発明によれば、ヒンジを介して基板ケースを固定ベースに固定する場合に、基板ケースを不正に取り外せないようにし、制御基板の不正交換防止が充分に図れる基板ケースを提供することができる。
【図面の簡単な説明】
【００１１】
【図１】本発明の実施の形態であって、スロットマシンの外観正面図である。
【図２】スロットマシンの内部を示す正面図である。
【図３】本発明の実施の形態におけるサブ基板ユニット及び液晶ユニットの分解斜視図である。
【図４】サブ基板ユニット及び液晶ユニットの分解斜視図である。
【図５】サブ基板ユニットの斜視図である。
【図６】留め具を起こしたサブ基板ユニットの側面図である。
【図７】留め具を起こしたサブ基板ユニットの斜視図である。
【図８】サブ基板ユニットのヒンジを示す分解斜視図である。
【図９】コネクタカバーを示す斜視図である。
【図１０】コネクタカバーの取り付けを示す斜視図である。
【図１１】コネクタカバーを取り付けたサブ基板ユニットの平面図である。
【図１２】サブ基板ユニットを回動させた液晶ユニットの斜視図である。
【図１３】本発明の実施の形態の変形例であって、サブ基板ユニットの斜視図である。
【発明を実施するための形態】
【００１２】
以下、本発明を実施するための形態について、遊技機としてスロットマシンを例に、図面に基づき説明する。
（スロットマシン1）
スロットマシン1は、図１に示すように、箱形の筐体2の正面側に板状の前扉3を開閉自在に取り付け、筐体2の内部には、図２に示すように、３個の回転リール6Aを有するリールユニット6、メダルを貯留するとともに払い出すためのホッパーユニット8、スロットマシン1の作動を制御する制御基板を収納した基板ユニット7、及びスロットマシン1の主電源のＯＮ／ＯＦＦを行う電源ユニットを収納固定した構成となっている。
【００１３】
前記前扉3は、特に図示しないヒンジを介して、筐体2の正面開口を開閉自在に取り付けられており、図１に示すように、高さ方向の中央部は、スロットマシン1の操作に関わる操作スイッチ等が設けられた操作部5となっている。そして、操作部5の上方には、回転リール6Aを正面側から視認可能な図柄表示窓3Fを有する正面パネル3Aが設けられている。また、操作部5の下方には、スロットマシン1の機種に応じたキャラクター等を表示した下パネル3Bが設けられている。さらに、下パネル3Bの下方であって前扉3の下部には、ホッパーユニット8から払い出されたメダルを排出するメダル払い出し口3Eと、メダル払い出し口3Eから排出されたメダルを貯留可能な下皿3Dが形成されている。
【００１４】
また、前扉3には、遊技に伴う種々の演出を行わせるための演出装置9が設けられている。演出装置9としては、前扉3の上部に配置されたランプ9A、下皿3Dの奥壁に設けられたスピーカ9B、正面パネル3Aの上方に配置された液晶ユニット9Cが設けられている。
前記操作部5としては、メダルを投入するためのメダル投入口5A、クレジットとして貯留されているメダルを投入メダルに代えるためのベットスイッチ5B、回転リール6Aの回転を開始させるためのレバー状のスタートスイッチ5C、回転リール6Aの回転を個々に停止させるための３個のボタンスイッチからなるストップスイッチ5D、クレジットされているメダルを払い戻すための精算スイッチ5Eが設けられている。
【００１５】
また、図２に示すように、前扉3の裏側には、前記メダル投入口5Aから投入されたメダルを検出するためのメダルセレクター4が内蔵されている。
前記基板ユニット7は、表面にＩＣ等の各種電子部品を実装した回路基板と、この回路基板を収納するためのケースとから構成されている。前記基板ユニット7としては、メイン基板ユニット7Aと、サブ基板ユニット7Bが設けられている。
メイン基板ユニット7Aは、図２に示すように、リールユニット6の上方に配置されており、メイン基板ケース内にメイン基板100を収納したものである。メイン基板100は、ＣＰＵ、ＲＯＭ、ＲＡＭ等、種々の電子部品を備えた回路基板であり、ＣＰＵがＲＯＭに記憶されたプログラムを読み込むことで、スロットマシン1の遊技を制御するメイン制御装置として機能する。
【００１６】
サブ基板ユニット7Bは、図２に示すように、前扉3の裏面上方であって液晶ユニット9Cの裏側に配置されており、サブ基板ケース10内にサブ基板110を収納したものである（図７、図８参照）。本実施の形態では、サブ基板ユニット7Bが、請求項記載の「基板ケース」に相当するものである。サブ基板110にも、特に図示しないが、ＣＰＵ、ＲＯＭ、ＲＡＭ等の電子部品が実装されており、メイン基板100からの入力信号に基づき、ＣＰＵがＲＯＭに記憶されたプログラムを読み込むことで、演出装置9の作動を制御するためのサブ制御装置として機能する。
（スロットマシン1の作動の概略）
上記構成を有するスロットマシン1は、１回の遊技において最大３枚のメダルを掛ける（ベットする）ことができるとともに、メダル投入口5Aから投入されたメダルを最大５０枚までクレジットとして貯留可能に形成されている。メダルがクレジットされている場合には、図示しないクレジット表示部にその数値が表示され、ベットスイッチ5Bを操作する度に１〜３の所定の数がクレジット表示部の表示から減算され、その枚数のメダルがベットされたものとみなされるようになっている。
【００１７】
そして、スタートスイッチ5Cの操作に基づき、役抽選が行われると共に、回転リール6Aが回転開始する。回転リール6Aの回転中に、対応するストップスイッチ5Dを操作することにより、回転リール6Aが回転停止する。そして、３個の回転リール6Aが全て停止したとき、各回転リール6Aの当選役を構成する図柄が当選役に応じた配列で表示された場合には、ホッパーユニット8から役に応じた枚数のメダルが払い出されたり、ボーナスゲームなどの有利遊技に移行するように形成されている。
（サブ基板ユニット7B）
次に、液晶ユニット9Cに設けられたサブ基板ユニット7Bについて詳述する。
【００１８】
ここで、液晶ユニット9Cは、図３及び図４に示すように、液晶表示装置80を液晶ケース90に収納固定したものである。液晶表示装置80は、既製の液晶モジュールを外装ケースに収納したものであり、液晶ケース90は、液晶表示装置80を前扉3に固定するとともに、サブ基板ユニット7Bを固定する固定ベースとして機能する。
液晶ケース90は、表面板91の四辺に形成された側面板を有し、表面板91の対向側が開口する箱形を呈している。表面板91の側面板のうち、左右に位置する側面板には、液晶ユニット9Cを前扉3に固定するためのネジ孔を有する固定部92が設けられており、前記開口に液晶表示装置80を収納し、液晶画面81が前扉3の正面側から視認可能（図１参照）となるように、前扉3の裏面側から固定される。また、図３に示すように、表面板91の一方の側端部には、サブ基板ユニット7Bを水平方向に回動自在に支持するためのヒンジ部としての軸受け部93が、上下方向に並んで２つ形成されており、表面板91の他方の側端部には、留め具95が取り付けられている（図５〜７参照）。留め具95は、一端が表面板91に形成された軸支部96に上下方向に回動自在に取り付けられており、他端を軸支部96の下方に設けられた係止片97に係止することができるようになっている。留め具95の作用については後述する。
【００１９】
さて、サブ基板ユニット7Bは、図３及び図４に示すように、大きく分けて、サブ基板ケース10と、サブ基板ケース10の内部に収納されるサブ基板110及びシールド板60とから構成されている。以下、サブ基板ユニット7Bの構成部材の説明における上下左右及び前後（正面側、背面側）の方向は、特に指定しない場合には、サブ基板ユニット7Bが前扉3に取り付いた状態で前扉3を裏面視した場合の方向を示すものとする。すなわち、図３においては左下側が正面であり、図４においては左上側が正面である。
（サブ基板110及びシールド板60）
本実施の形態においては、図３及び図４に示すように、サブ基板110として、サブメイン基板110Aと、サブサブ基板110Bの２つの基板が設けられている。サブメイン基板110Aは、メイン基板100からの出力信号を入力して演出抽選など演出決定処理を行うためのものである。サブサブ基板110Bは、サブメイン基板110Aからの出力コマンドに基づいて、液晶表示装置80などの演出装置9を作動させるためのものである。
【００２０】
サブメイン基板110Aの右端上部には、図３に示すように、メインコネクタ120が設けられており、サブメイン基板110Aの左側端部には、接続コネクタ130が設けられている。メインコネクタ120に、メイン基板100（図１参照）とメインハーネスにより接続されたコネクタ（図示せず）を装着することにより、メイン基板100と電気的に接続されるようになっている。
サブサブ基板110Bの右側端部には、図３に示すように、サブメイン基板110Aの接続コネクタ130と接続可能な接続コネクタ131が設けられている。接続コネクタ130と接続コネクタ131をコネクタ同士で（又はハーネスを介して）接続することにより、サブメイン基板110Aとサブサブ基板110Bが電気的に接続される。また、サブサブ基板110Bの左側端部には、サブコネクタ140が設けられており、このサブコネクタ140に、ランプ9Aやスピーカ9Bや液晶ユニット9Cなどの演出装置9とハーネスにより接続されたコネクタ（図示せず）を装着することにより、サブコネクタ140と演出装置9が電気的に接続されるようになっている。
【００２１】
シールド板60は、サブ基板110を装着して裏ケース30に固定される金属板であって、電子部品の静電ノイズを防止するためのものである。シールド板60において、サブメイン基板110Aを固定する箇所には、図３に示すように、前後方向に貫通する開口部61が形成されているとともに、この開口部61の背面側には、導電性透明フィルム70が設置される。すなわち、開口部61は、導電性透明フィルム70によって背面側から塞がれたかたちとなる。ここにおいて、シールド板60にサブメイン基板110Aを固定した場合には、シールド板60の裏面側から、開口部61を通して、サブメイン基板110Aの裏面を視認できることとなる。また、開口部61を形成したことによるシールド効果の減衰は、導電性透明フィルム70によって相殺される。
【００２２】
サブ基板110は、メインサブ基板110Aとサブサブ基板110Bを連結した状態でシールド板60に嵌め込み、導電性透明フィルム70を配置した裏ケース30の適位置にセットして裏ケース30と前ケース20をネジで固定することにより、シールド板60と一体でサブ基板ケース10の内部に固定される。そして、サブ基板110に接続される外部コネクタ（メインコネクタ120やサブコネクタ140に接続されるコネクタ）がアース線の役割を果たし、サブ基板110の除電が行われる。
（サブ基板ケース10）
サブ基板ケース10は、液晶ケース90の表面板91に取り付けられる透明な裏ケース30と、裏ケース30の正面側に固定される透明な前ケース20とから成り、前ケース20と前ケース20を合わせることにより、図７に示すように箱形のケースを形成する。
【００２３】
前ケース20は、図３に示すように正面板21の四辺に形成された側面板を有し、図４に示すように背面側が開口する箱状を呈している。前ケース20の右上隅角部には、切欠部22が形成されており、この切欠部22には、コネクタカバー50が装着される。切欠部22は、サブメイン基板110Aのメインコネクタ120にメインハーネス（図示せず）を接続可能とするためのものであり、前ケース20と裏ケース30を固定したときに、サブ基板ケース10の正面右上隅角部に開口部が形成されるものとなる（図１０（Ｂ）参照）。また、前ケース20の正面板21には、複数の凹部23が形成されており、各凹部23の凹底部にはネジ挿通孔23A（図４参照）が形成されている。ネジ挿通孔23Aは、前ケース20と裏ケース30を適位置で合わせると、裏ケース30に設けられたネジ孔34と合致する位置に設けられている。さらに、前ケース20の左側端部には、コネクタ開口24が形成されている。コネクタ開口24は、サブサブ基板110Bのサブコネクタ140にサブハーネス（図示せず）を接続可能とするためのものである。
【００２４】
裏ケース30は、図３に示すように裏面板31の四辺に形成された側面板を有し、図４に示すように正面側が開口する箱状を呈している。裏面板31には、前述したように、前ケース20のネジ挿通孔23Aと合致するネジ孔34が設けられている。また、裏ケース30の一端部である右側面には、液晶ケース90の表面板91に設けられた軸受け部93と係合可能なヒンジ部としてのヒンジ軸32が、上下方向に並んで２つ設けられている。さらに、裏ケース30の左側面すなわち一端部の対向側の他端部には、裏ケース30の反ヒンジ部側の端部を液晶ケース90に固定するための固定部35が設けられている。固定部35はネジ孔を有するブラケットであり、液晶ケース90の表面板91には、サブ基板ユニット7Bを液晶ケース90と平行になる位置まで回動させたときに固定部35のネジ孔と合致するネジ孔91Aが設けられている。
【００２５】
ここで、軸受け部93は、図８に示すように、液晶ケース90の表面板91から正面側に突出する張出部93Bに軸孔93Aを形成したものであり、ヒンジ軸32は、裏ケース30の左側の側面板から側方に突出する突部32Bに、下面から垂下する軸部32Aを形成したものである。そして、上下２つある張出部93の軸孔93Aに、上側から軸部32Aを差し込むことにより、軸受け部93とヒンジ軸32が係合する。なお、ヒンジ部の構造としては、図示したものに限られず、液晶ケース90側に軸部を設け、裏ケース30側に軸受け部を設けてもよい。
さらに、裏ケース30の裏面板31の裏面には、図４に示すように、６個の円筒状の突起33が形成されているとともに、液晶ケース90の表面板91には、図７に示すように、前記突起33よりも大径の略円形の係止凹部94が形成されている（図１２参照）。係止凹部94は、ヒンジ部を介して裏ケース30を液晶ケース90に取り付け、裏ケース30の裏面板31と液晶ケース90の表面板91を接合させるときに、突起33が嵌入可能な位置に設けられている。これは、突起33が係止凹部94に嵌入することにより、表面板91の全体でサブ基板ケース7Bの荷重を受け、ヒンジ部にかかる力を分散させてヒンジ部が破損するのを防ぐためである。
【００２６】
前ケース20と裏ケース30は、後述するシールド板60及びサブ基板110を収納した状態で、前ケース20のネジ挿通孔23Aと裏ケース30のネジ孔34を合わせて図示しないネジを螺合して固定することにより、シールド板60及びサブ基板110と一体的に固定される。すなわち、シールド板60及びサブ基板110にも、ネジが貫通可能な挿通孔が設けられている。そして、ネジ止めした後、さらに、前ケース20の凹部22に封止カバー40を嵌入させることにより、開封不能に封止される。封止カバー40は、凹部22の内周に設けられた係合溝に係合可能な爪部を有しており、いったん爪部が係合溝に係合すると、封止カバー40は前ケース20に取り外し不能に固定される。このため、前ケース20と裏ケース30を固定しているネジにアクセス不能となって、前ケース20と裏ケース30が封止されるものである。
【００２７】
ここにおいて、シールド板60及びサブ基板110を収納したサブ基板ケース10の裏面側からは、透明な裏ケース30及び導電性透明フィルム70を通して、シールド板60の開口部61からサブメイン基板110Aの裏面を見ることが可能となる。
なお、コネクタカバー50も、基板ケース10に取り外し不能に固定されるとともに、コネクタカバー50を固定するネジによっても、前ケース20と裏ケース30及びシールド板60とサブ基板110が一体的に固定されるようになっているが、これについては後述する。
（コネクタカバー50）
次に、コネクタカバー50について詳述する。
【００２８】
上記したように、前ケース20には切欠部22が形成されているため、サブ基板110を収納したサブ基板ケース10からは、メインコネクタ120が露出した状態となる（図１０（Ｂ）参照）。そこで、コネクタカバー50を切欠部22に嵌め込んで封止することにより、メインコネクタ120をアクセス不能に保護しているものである。
コネクタカバー50は、図３及び図９に示すように、前カバー20の切欠部22に嵌め込むことができるブロック状の部材であり、図９（Ａ）に示すように、正面側には円形の凹部51が形成されている。凹部51の凹底部には、図９（Ｂ）に示すようにネジ挿通孔51Aが形成されている。ネジ挿通孔51Aは、サブ基板ケース10を組み立てた状態でコネクタカバー50を切欠部22に嵌め込むと、裏ケース30に設けられたネジ孔34'（図３参照）と合致する位置に設けられている。ネジ挿通孔51Aからネジを挿入すると、サブ基板110及びシールド板60に設けられたネジ挿通孔を通ってネジ孔34'に到達し、ネジを締めることによりコネクタカバー50がサブ基板ケース10に固定される。また、前記凹部51には、封止カバー41を嵌入可能であり、コネクタカバー50は封止カバー41によって基板ケース10に取り外し不能に固定される。封止カバー41は、封止カバー40と同様に、凹部51の内周に設けられた係合溝に係合可能な爪部を有しており、いったん爪部が係合溝に係合すると、封止カバー41はコネクタカバー50に取り外し不能に固定される。このため、コネクタカバー50によってメインコネクタ120が被覆されるとともに、基板ケース10（裏ケース30）とコネクタカバー50を固定しているネジにアクセス不能となるものである。なお、メインコネクタ120に接続されるメインハーネスは、コネクタカバー50の背面と裏ケース30の正面側端部との隙間からケース外に導出される。
【００２９】
さらに、コネクタカバー50の背面側端部には、背面側に向かって突設されたロック片52が設けられている。ロック片52は、移動阻止部であって、液晶カバー90に取り付けたサブ基板ケース10にコネクタカバー50を装着すると、図１０（Ａ）及び図１１（Ａ）に示すように、ヒンジ部の軸受け部93の下側に位置するように形成されている。また、ロック片52は、図１１（Ｂ）に示すように、サブ基板ケース10をヒンジ部を中心に回動させた場合でも、軸受け部93の下側の位置を保つようになっている。すなわち、ロック片52は、サブ基板ユニット7Bの回動を妨げることなく、軸受け部93に当接又は近接して、サブ基板ユニット7Bのヒンジ解除方向（本実施の形態では上方向）への移動を阻止することができるように形成されている。そして、コネクタカバー50を装着することにより、軸受け部93がロック片52とヒンジ軸32の突部32Bに挟持されたかたちとなり、ヒンジ軸32の軸部32Aを軸受け部93の軸孔93Aから抜き出すことができなくなる。このため、コネクタカバー50が装着された状態では、サブ基板ユニット7Bをヒンジ解除方向に移動させることができず、その結果、サブ基板ユニット7Bを液晶ケース90から取り外すことが不能となる。
【００３０】
（サブ基板ユニット7Bの装着及び点検）
上記構成を有するサブ基板ユニット7Bを液晶ケース90に取り付ける場合には、コネクタカバー50を取り付けていない状態で、裏ケース30のヒンジ軸32を液晶ケース90の軸受けに係止させる。そして、図１２に示すように、留め具95を上方に回動させた状態で、裏ケース30の裏面と液晶ケース90の表面板91とを合わせるようにサブ基板ユニット7Bを回動させる。このとき、裏ケース30の係止突起33が液晶ケース90の係止凹部94に嵌入する。係止突起33を完全に係止凹部94内に嵌め込むと、裏ケース30の裏面と液晶ケース90の表面板91が当接又は近接して平行状態になる。このとき、裏ケース30の固定部35と液晶ケース90の表面板91のネジ孔91Aが合致するので、固定ネジにより固定する。そして、留め具95を下方に回動させて、係止片97に係止させる（図５参照）。これにより、サブ基板ユニット7Bの反ヒンジ側の端部が固定されるとともに、前ケース20のコネクタ開口24が被覆され、サブコネクタ140の接続部が覆われる。さらに、コネクタカバー50を装着し、封止カバー41を固定することにより、メインコネクタ120の接続部がアクセス不能に被覆され、かつ、ロック片52によりヒンジ部が取り外し不能にロックされる。サブ基板ユニット7Bを液晶ケース90から取り外すには、封止カバー41を破壊してコネクタカバー50を取り外すか、ヒンジ部を破壊しなければならず、いずれの場合にも不正な取り外しの痕跡が残る。
【００３１】
サブ基板ユニット7Bの裏面を点検する場合には、係止片97を押し下げて留め具95との係止を解除し、留め具95を上方に回動させる。そして、固定部35を固定しているネジを外し、サブ基板ユニット7Bを、裏ケース30の裏面と液晶ケース90の表面板91が離れる方向に回動させる。前述したように、裏ケース30の裏面からは、サブメイン基板100Aの裏面を視認することができ、不正な部品等が取り付けられている場合には一目で確認することができる。
（実施形態の効果）
以上のように、本実施形態によれば、サブ基板ユニット7Bがヒンジを介して固定ベースである液晶ケース90に取り付けられているので、サブ基板ユニット7Bを回動させることによりその裏面側を視認することができ、サブ基板110の裏側への不正基板や不正部品の取付を発見しやすくなった。そして、サブ基板110の裏側を視認可能とするために金属製のシールド板60に開口部61を設けたことによるシールド効果の減衰を、導電性透明フィルム70を用いることで解消することができる。
【００３２】
また、ヒンジ部にかかる負荷を減らすために、サブ基板ケース10の裏ケース30に設けた係止突起33と、液晶ケース90の表面板91に設けた係止凹部94とを係合させるようにしている。これにより、サブ基板ユニット7Bの重量によるヒンジ部の破損を防止できるとともに、サブ基板ユニット7Bと液晶ケース90との固定を強固にすることができる。なお、裏ケース30に凹部を設け、液晶ケース90の表面板91に突起を設けてもよい。そして、サブ基板ケース10の反ヒンジ側の端部は、留め具95により係止されるが、この留め具95により、サブコネクタ140の接続部を保護することができる。
そして、メインコネクタ120を保護するためのコネクタカバー50に、ヒンジ部のロックとしての機能を持たせることにより、単一の部品で、メインコネクタ120の不正な抜き差しに加えて、サブ基板ユニット7Bの不正な取り外しをも防止することができる。
【００３３】
（変形例）
上記した実施の形態では、前ケース20の一部に切欠部22を設けてサブ基板ケース10におけるコネクタ接続用の開口部を形成していたが、コネクタ接続用の開口部は、ヒンジ部の近傍に位置していれば、前ケース20の正面板21に設けられた開口部でもよく、前ケース20又は裏ケース30の側面板に設けられた開口部であってもよい。
また、サブ基板ケース10にコネクタカバー50を装着すると、ロック片52が軸受け部93の下方に位置して、ヒンジ軸32の軸部32Aが軸受け部93の軸孔93Aから抜けなくなるように形成してあったが、ロック片53の機能は、そのようなものに限られない。例えば、ヒンジの構造が、下側に位置する軸部32Aを下側に位置する軸受け部93の軸孔93Aに上側から差し込み、上側に位置する軸部32Aを上側に位置する軸受け部93の軸孔93Aに下側から差し込む構造となっている場合には、コネクタカバー50の装着時に、ロック片52が軸受け部93の上方に位置するようにして、ヒンジ軸32の軸部32Aが軸受け部93の軸孔93Aから抜けなくなるようにすることができる。そして、ロック片52の形状も、図示したものに限られず、ヒンジ部の形状に応じて、適宜変更可能である。要は、サブ基板ケース10にコネクタカバー50を装着することによって、コネクタカバー50の一部がヒンジ部の一部に当接可能となり、サブ基板ユニット7Bの回動を阻害することなく、サブ基板ユニット7Bのヒンジ係合解除方向への移動を阻止できるように形成されていればよい。
【００３４】
また、上記した実施の形態では、液晶ケース90に設けた留め具95によってサブ基板ユニット7Bの反ヒンジ側を固定するようにしてあったが、図１３に示すように、サブ基板ケース10の裏ケース30の側面に液晶ケース90との固定部35を設けるとともに、液晶ケース90の表面板91には固定部35と対応する位置に固定部98を設け、双方の固定部35,98をカシメピン45で固定するようにしてもよい。このように形成した場合には、サブ基板ユニット7Bを取り外す場合やサブ基板ユニット7Bの裏面を確認する場合、カシメピン45の頭部を破壊してカシメピン45を取り外さないとならないので、不正な取り外しの場合には痕跡が残る。なお、図１４に示すように、サブ基板ケース10に冷却用のファン25を設けてもよい。
【００３５】
さらに、上記した実施の形態では、サブ基板ユニット7Bを液晶ユニット9Cの裏面に設置する場合について説明したが、本発明に係る基板ケースは、サブ基板を収納する基板ケースに限られるものではなく、メイン基板を収納するメイン基板ケースに応用してもよいものである。また、基板ケースを固定する固定ベースは、前扉の裏面や、筐体の裏板であってもよいものである。また、基板ケースは、固定ベースに回動自在に取り付けられていればよく、回動方向は水平方向に限られず、上下方向に回動可能であってもよい。
本発明は、スロットマシン以外の遊技機、例えばパチンコ遊技機にも利用することができる。
【符号の説明】
【００３６】
１  スロットマシン                  ２  筐体
３  前扉                            ４  メダルセレクター
５  操作部                          ６  リールユニット
７  基板ユニット                    7B  サブ基板ユニット（基板ケース）
８  ホッパーユニット                ９  演出装置
10  サブ基板ケース（外装ケース）
20  前ケース                        21  正面板
22  切欠部                          23  凹部
24  コネクタ開口                    25  ファン
30  裏ケース                        31  裏面板
32  ヒンジ軸（ヒンジ部）            33  係止突起
34  ネジ孔                          35  固定部
40  封止カバー                      41  封止カバー
50  コネクタカバー（カバー部材）    51  凹部
52  ロック片（移動阻止部）
60  シールド板                      61  開口部
70  導電性透明フィルム              80  液晶表示装置
90  液晶ケース（固定ベース）        91  表面板
92  固定部                          93  軸受け部（ヒンジ部）
94  係止凹部                        95  留め具
100  メイン基板                     110  サブ基板
120  メインコネクタ
【図１】
2014004279.tif 000003
【図２】
2014004279.tif 000004
【図３】
2014004279.tif 000005
【図４】
2014004279.tif 000006
【図５】
2014004279.tif 000007
【図６】
2014004279.tif 000008
【図７】
2014004279.tif 000009
【図８】
2014004279.tif 000010
【図９】
2014004279.tif 000011
【図１０】
2014004279.tif 000012
【図１１】
2014004279.tif 000013
【図１２】
2014004279.tif 000014
【図１３】
2014004279.tif 000015